(57)【要約】【課題】放送システムにおいて通信経由でデータを受信する場合に、通信経由での個々のデータの受信の可否を把握することができる受信装置などを提供する。【解決手段】番組内容のデータおよび通信用のデータの種類を特定するデータを含む放送波を受信する放送受信部と、前記通信用のデータを受信する通信部と、前記放送受信部により受信された前記放送波に含まれる前記通信用のデータの種類を特定するデータに基づいて特定された前記通信用のデータの種類を表示するとともに、それぞれの種類のデータについて前記通信部により受信することが可能か否かを表示する表示部と、を備える受信装置である。【選択図】図１
2016116163.tif 000002
【特許請求の範囲】
【請求項１】
番組内容のデータおよび通信用のデータの種類を特定するデータを含む放送波を受信する放送受信部と、
前記通信用のデータを受信する通信部と、
前記放送受信部により受信された前記放送波に含まれる前記通信用のデータの種類を特定するデータに基づいて特定された前記通信用のデータの種類を表示するとともに、それぞれの種類のデータについて前記通信部により受信することが可能か否かを表示する表示部と、
を備える受信装置。
【請求項２】
前記通信部により前記通信用のデータを受信することが可能か否かを判定するデータ制御部を備え、
前記表示部は、前記データ制御部により判定された結果に基づいて、前記表示する、
請求項１に記載の受信装置。
【請求項３】
前記データ制御部は、前記通信用のデータを送信する他の装置と通信することが可能な状態である場合には前記データを受信することが可能であると判定し、前記通信用のデータを送信する前記他の装置と通信することが不可能な状態である場合には前記データを受信することが不可能であると判定する、
請求項２に記載の受信装置。
【請求項４】
前記データ制御部は、前記通信用のデータについて設定された有効期間の条件が満たされない場合には、前記データを受信することが不可能であると判定する、
請求項２または請求項３に記載の受信装置。
【請求項５】
前記有効期間の条件は、少なくとも終了の時刻が規定された条件であり、
前記データ制御部は、前記通信用のデータについて設定された前記終了の時刻より後の時刻では、前記データを受信することが不可能であると判定する、
請求項４に記載の受信装置。
【請求項６】
放送受信部が、番組内容のデータおよび通信用のデータの種類を特定するデータを含む放送波を受信し、
表示部が、前記放送受信部により受信された前記放送波に含まれる前記通信用のデータの種類を特定するデータに基づいて特定された前記通信用のデータの種類を表示するとともに、それぞれの種類のデータについて受信することが可能か否かを表示する、
情報処理方法。
【請求項７】
番組内容のデータおよび通信用のデータの種類を特定するデータを含む放送波を受信するステップと、
受信された前記放送波に含まれる前記通信用のデータの種類を特定するデータに基づいて特定された前記通信用のデータの種類を表示するとともに、それぞれの種類のデータについて受信することが可能か否かを表示するステップと、
をコンピュータに実行させるためのプログラム。
【発明の詳細な説明】
【技術分野】
【０００１】
本発明は、受信装置、情報処理方法、およびプログラムに関する。
【背景技術】
【０００２】
テレビジョン等の地上デジタル放送では、放送網を経由させる放送経由でデータ放送のデータを送信するだけでなく、インターネット等の通信網を経由させる通信経由でデータを送信するサービスが提供されている。
例えば、現在策定中のＭＭＴ（MPEG Media Transport）によるメディア伝送方式を用いた放送規格では、放送経由だけでなく通信経由でも、各種のサービスのデータを送信することが規定されている。このサービスとしては、映像、音声、字幕・字幕スーパー、データ放送のデータなどを提供するサービスがある。
【０００３】
また、ハイブリッドキャスト（Hybridcast）でのＭＰＥＧ−ＤＡＳＨ（Dynamic Adaptive Streaming over HTTP）による映像ストリーミング配信サービスが検討されている。これに鑑みると、将来（例えば、８Ｋ放送）において、通信経由でのライブストリーミング配信サービスが提供されると予想される。さらに、字幕のサービスでは、通信経由のデータ通信を利用して二か国語以上の多言語に対応したサービスが提供されることが検討されている。
【０００４】
なお、従来技術の一例として、データ放送受信装置において、通信経由でデータを取得する場合に、通信回線への接続を確認する技術が開示されている（特許文献１参照。）。具体的には、データ放送受信装置は、データ放送コンテンツを取得し、自装置が通信機能を利用できる状態にあるかどうかを判断し、自装置が通信機能を利用できない状態にあると判断された場合に、取得したデータ放送コンテンツ内の要素のうち、ユーザの入力を伴い、かつ通信動作に関わる要素をフォーカス制限要素と判定し、フォーカス制限要素へのフォーカス処理を制限する。これにより、当該データ放送受信装置は、通信機能が利用できないときに、ユーザが無用な操作を行うことを抑制することができる。
【先行技術文献】
【特許文献】
【０００５】
【特許文献１】特開２００６−２３８１３６号公報
【発明の概要】
【発明が解決しようとする課題】
【０００６】
しかしながら、従来技術では、通信経由でデータを送信する放送システムにおいて、受信装置では、通信経由での個々のデータの受信の可否を把握することができなかった。
【０００７】
本発明は上記の点に鑑みてなされたものであり、放送システムにおいて通信経由でデータを受信する場合に、通信経由での個々のデータの受信の可否を把握することができる受信装置、情報処理方法、およびプログラムを提供する。
【課題を解決するための手段】
【０００８】
本発明は上記の課題を解決するためになされたものであり、一態様は、番組内容のデータおよび通信用のデータの種類を特定するデータを含む放送波を受信する放送受信部と、前記通信用のデータを受信する通信部と、前記放送受信部により受信された前記放送波に含まれる前記通信用のデータの種類を特定するデータに基づいて特定された前記通信用のデータの種類を表示するとともに、それぞれの種類のデータについて前記通信部により受信することが可能か否かを表示する表示部と、を備える受信装置である。
【０００９】
また、一態様は、放送受信部が、番組内容のデータおよび通信用のデータの種類を特定するデータを含む放送波を受信し、表示部が、前記放送受信部により受信された前記放送波に含まれる前記通信用のデータの種類を特定するデータに基づいて特定された前記通信用のデータの種類を表示するとともに、それぞれの種類のデータについて受信することが可能か否かを表示する、情報処理方法である。
【００１０】
また、一態様は、番組内容のデータおよび通信用のデータの種類を特定するデータを含む放送波を受信するステップと、受信された前記放送波に含まれる前記通信用のデータの種類を特定するデータに基づいて特定された前記通信用のデータの種類を表示するとともに、それぞれの種類のデータについて受信することが可能か否かを表示するステップと、をコンピュータに実行させるためのプログラムである。
【発明の効果】
【００１１】
本発明によれば、放送システムにおいて通信経由でデータを受信する場合に、通信経由での個々のデータの受信の可否を把握することができる。
【図面の簡単な説明】
【００１２】
【図１】本発明の一実施形態に係るテレビジョンの放送システムの構成の一例を示すブロック図である。
【図２】本発明の一実施形態に係る画面表示の一例を示す図である。
【図３】本発明の一実施形態に係る画面表示の他の一例を示す図である。
【図４】Ｅｘｐｉｒｅ記述子のデータ構造の一例を示す図である。
【図５】Ｅｘｐｉｒｅ記述子の意味を示す図である。
【発明を実施するための形態】
【００１３】
以下、図面を参照しながら本発明の実施形態について説明する。
図１は、本発明の一実施形態に係るテレビジョンの放送システム１の構成の一例を示すブロック図である。
放送システム１では、放送経由で番組内容データ、番組付帯データ、およびデータ放送のデータを送信し、通信経由で通信用のデータを通信する。
ここで、放送としては、例えば、地上デジタル放送、衛星放送、ケーブルテレビ放送、あるいはIPテレビ放送が用いられてもよい。
また、番組内容データ、番組付帯データ、およびデータ放送のデータは、例えば、パケットなどにまとめられて送信されてもよい。このパケットとしては、ＭＭＴ方式のパケットが用いられてもよい。
【００１４】
番組内容データは、番組の内容自体である映像のデータおよび音声のデータを含む。本実施形態では、多か国語放送の場合には、番組内容データは、二か国語以上の音声のデータを含む。なお、複数のチャンネルの番組のデータが多重化されてもよい。
番組付帯データは、番組内容データの番組について付帯されるデータである。本実施形態では、番組付帯データは、番組について音声が用意された言語の種類（例えば、音声の言語の種類の一覧）を特定するデータ、番組について字幕が用意された言語の種類（例えば、字幕の言語の種類の一覧）を特定するデータ、および、放送経由で提供する言語についての字幕のデータを含む。番組付帯データは、例えば、さらに、番組の種類のデータ、番組の内容の説明文のデータ、番組の分量のデータ、番組の配列のデータ、番組の放送日時のデータを含む。本実施形態では、多か国語放送の場合には、番組付帯データは、二か国語以上の字幕のデータを含む。なお、本実施形態では、字幕が用いられるが、文字スーパーが用いられてもよい。また、表示するか非表示とするかを切り替えることが可能な字幕（ＣＣ：Closed Captioning）が用いられてもよい。また、複数の番組の番組付帯データに基づいて電子番組ガイド（Electronic Program Guide）のデータを生成することが可能である。
データ放送のデータは、例えば、ニュースのデータ、天気予報のデータ、あるいは、クイズのデータなどである。
【００１５】
通信用のデータは、番組について多か国語音声が用意された場合における通信経由で送ることが指定された音声のデータ、および、多か国語字幕が用意された場合における通信経由で送ることが指定された字幕のデータを含む。また、通信用のデータは、他の様々なデータを含んでもよい。
ここで、本実施形態では、放送は、放送局から受信装置への一方向の伝送を行うものをいい、また、通信は、受信装置からサーバ装置への配信要求およびサーバ装置から受信装置への配信といった双方向の伝送を行うものやサーバ装置から同報配信を行うマルチキャストサービスが例として挙げられる。
【００１６】
放送システム１は、放送用のコンテンツサーバ装置１１と、通信用のコンテンツサーバ装置１２と、送信装置２１と、受信装置２２と、ネットワーク３１を含む。受信装置２２は、テレビジョンの受信装置である。ネットワーク３１は、インターネット等のネットワークである。
送信装置２１は、コンポーネント多重化部１０１と、放送送信部１０２と、通信部（通信送受信部）１０３を含む。
受信装置２２は、放送受信部２０１と、通信部（通信送受信部）２０２と、操作部２０３と、コンポーネント逆多重化部２０４と、映像復号部２０５と、音声復号部２０６と、データ制御部２０７と、合成部２０８と、表示部２０９と、音出力部２１０を含む。
【００１７】
放送用のコンテンツサーバ装置１１は、番組内容データ、番組付帯データ、およびデータ放送のデータを記憶装置に記憶する。放送用のコンテンツサーバ装置１１は、記憶装置（放送用記憶装置）に記憶されたデータを送信装置２１に出力する。
通信用のコンテンツサーバ装置１２は、通信用のデータを記憶装置（通信用記憶装置）に記憶する。通信用のコンテンツサーバ装置１２は、受信装置２２からネットワーク３１を介して配信要求を受けた場合に、記憶装置（通信用記憶装置）に記憶されたデータのうちから当該配信要求に応じたデータを読み出し、読み出したデータをネットワーク３１を介して当該受信装置２２に送信（配信）する。
【００１８】
送信装置２１において行われる動作を説明する。
コンポーネント多重化部１０１は、放送用のコンテンツサーバ装置１１から出力されたデータ（番組内容データ、番組付帯データ、およびデータ放送のデータ）を多重化し、多重化したデータ（多重化データ）を放送送信部１０２に出力する。この際、コンポーネント多重化部１０１は、それぞれのデータを符号化してから多重化する。他の構成例として、放送用のコンテンツサーバ装置１１から出力されるデータが既に符号化されていてもよい。
放送送信部１０２は、コンポーネント多重化部１０１から入力された多重化データを無線または有線の回線（放送網）を介して放送波として送信する。
また、送信装置２１では、放送用のコンテンツサーバ装置１１から出力されたデータをコンポーネント多重化部１０１を介して通信部１０３に入力し、通信部１０３が当該データをネットワーク３１を介して通信用のコンテンツサーバ装置１２に送信することも可能である。これにより、例えば、放送用のコンテンツサーバ装置１１から通信用のデータを出力し、送信装置２１が当該通信用のデータを通信用のコンテンツサーバ装置１２に送信してその記憶装置（通信用記憶装置）に記憶させることが可能である。ここで、通信部１０３は、ネットワーク３１を介して、通信用のコンテンツサーバ装置１２との間でデータを通信する。
【００１９】
受信装置２２において行われる動作を説明する。
放送受信部２０１は、送信装置２１から送信された多重化データの放送波を受信し、受信した放送波に含まれる多重化データをコンポーネント逆多重化部２０４に出力する。
コンポーネント逆多重化部２０４は、通信部２０２により、ネットワーク３１を介して、通信用のコンテンツサーバ装置１２からデータを取得する。データ制御部２０７は、通信部２０２により、ネットワーク３１を介して、通信用のコンテンツサーバ装置１２からデータを取得する。また、通信部２０２は、コンポーネント逆多重化部２０４やデータ制御部２０７から要求されたデータの取得の可否、取得可能なサービス品質の状態を管理する。なお、前記状態の管理はデータの取得を要求するコンポーネント逆多重化部２０４やデータ制御部２０７で行ってもよく、管理する機能ブロックは問わない。
操作部２０３は、ユーザにより行われた操作に応じて、選局や多か国語に対応した音声、字幕の切り替えなど、コンポーネント逆多重化部２０４の制御を行う。操作部２０３は、一例として、受信装置２２の本体とは別体のリモートコントローラであってもよい。
【００２０】
コンポーネント逆多重化部２０４は、放送受信部２０１から入力された多重化データを、映像のデータと、音声のデータと、他のデータに分離する。コンポーネント逆多重化部２０４は、分離した映像のデータを映像復号部２０５に出力し、分離した音声のデータを音声復号部２０６に出力し、分離した他のデータをデータ制御部２０７に出力する。
ここで、コンポーネント逆多重化部２０４は、映像のデータとして、番組内容データに含まれる映像のデータを分離する。コンポーネント逆多重化部２０４は、音声のデータとして、番組内容データに含まれる音声のデータを分離する。また、コンポーネント逆多重化部２０４は、他のデータとして、データ放送のデータ、および、番組付帯データに含まれる字幕・文字スーパー等のデータを分離する。
また、コンポーネント逆多重化部２０４は、操作部２０３との間での信号の通信に応じて、表示する番組（チャンネルなど）の要求、多か国語放送において音出力する音声の言語の要求、多か国語放送において表示する字幕の言語の要求、あるいは、電子番組ガイドの表示の要求などを受け付ける。コンポーネント逆多重化部２０４は、受け付けられた要求に応じたデータを分離して出力する。
【００２１】
また、コンポーネント逆多重化部２０４は、操作部２０３との間での信号の通信に応じて、要求されるデータを取得する指示を通信部２０２に出力する。この指示を受信したことに応じて、通信部２０２は、指示されたデータを配信する要求（配信要求）をネットワーク３１を介して通信用のコンテンツサーバ装置１２に送信し、当該通信用のコンテンツサーバ装置１２から出力される当該データをネットワーク３１を介して受信して取得する。通信部２０２は、取得したデータ（例えば、映像のデータ、音声のデータ、あるいは、字幕のデータなどの他のデータ）を、コンポーネント逆多重化部２０４に出力する。当該データは、コンポーネント逆多重化部２０４を介して、該当する出力先（映像復号部２０５、音声復号部２０６、あるいは、データ制御部２０７）に出力される。なお、他の例として、通信部２０２は、取得したデータをデータ制御部２０７に出力することも可能である。
【００２２】
映像復号部２０５は、コンポーネント逆多重化部２０４から入力された映像のデータを復号して、合成部２０８に出力する。
音声復号部２０６は、コンポーネント逆多重化部２０４から入力された音声のデータを復号して、音出力部２１０に出力する。
【００２３】
データ制御部２０７は、コンポーネント逆多重化部２０４から入力されたデータを合成部２０８に出力する。この際、データ制御部２０７は、当該データに所定の処理を行った後に出力することも可能である。
なお、データ制御部２０７は、通信部２０２との間でデータを通信することも可能である。これにより、例えば、データ制御部２０７は、通信用のコンテンツサーバ装置１２から出力されるデータを、ネットワーク３１および通信部２０２を介して、受信して、合成部２０８に出力することも可能である。
【００２４】
また、データ制御部２０７は、通信用のデータのうちの個々のデータについて、受信の可否（通信用のコンテンツサーバ装置１２からネットワーク３１を介して通信部２０２により取得することが可能か否か）を判定する。この判定の結果に応じて、データ制御部２０７は、個々のデータについて受信の可否を表すデータを合成部２０８に出力することができる。
【００２５】
ここで、この判定の方法としては、様々な方法が用いられてもよい。一例として、データ制御部２０７は、判定対象となる通信用のデータを配信するサーバ装置（図１の例では、通信用のコンテンツサーバ装置１２）と通信部２０２とが通信経由で接続している（または、接続しようとすれば接続可能）な状態である場合に、当該データの受信が可能であると判定し、接続していない（または、接続しようとしても接続不可能）な状態にある場合に、当該データの受信が不可能であると判定する。他の例として、データ制御部２０７は、判定対象となる通信用のデータを配信するサーバ装置と通信部２０２との接続の有無（または、接続の可否）とは無関係に、所定の条件が満たされる場合に、当該データの受信が可能であると判定し、当該所定の条件が満たされない場合に、当該データの受信が不可能であると判定する。
【００２６】
所定の条件としては、例えば、判定対象となる通信用のデータが有料である場合に、その料金の支払いの有無の情報が用いられてもよい。この場合、サーバ装置は、料金の支払いがある場合のみデータを提供（配信）する。また、データ制御部２０７は、通信部２０２を介してサーバ装置と通信した結果などに基づいて、当該データの配信の有りあるいは無しに応じて、それぞれ、当該データの受信の可能あるいは不可能を判定する。
所定の条件としては、他の様々な条件が用いられてもよく、例えば、時間の条件、あるいは、データの通信に使用することが可能な帯域の条件、あるいは、人為的に可否を設定した条件などが用いられてもよい。
【００２７】
時間の条件として、例えば、データの受信が不可能な状態から可能な状態になる時刻（有効期間の開始時刻）、または、データの受信が可能な状態から不可能な状態になる時刻（有効期間の終了時刻）のうちの一方または両方が用いられてもよい。データ制御部２０７は、有効期間の範囲内である場合に、データの受信が可能であると判定する。データ制御部２０７は、有効期間の範囲外である場合に、データの受信が不可能であると判定する。例えば、有効期間の開始時刻より前の時刻ではデータの受信が不可能であり、有効期間の開始時刻から終了時刻までの間の時刻ではデータの受信が可能であり、有効期間の終了時刻より後の時刻ではデータの受信が不可能である。
帯域の条件として、例えば、データの受信に必要な帯域の閾値が設定されて、当該閾値以上の帯域が確保されているという条件が用いられてもよい。データ制御部２０７は、データの通信をすることが可能な帯域が閾値以上である場合に、当該データの受信が可能であると判定する。
なお、通信用のデータを配信する装置（本実施形態では、通信用のコンテンツサーバ装置１２）は、データに設定された所定の条件が満たされる場合には当該データを配信し、当該データに設定された当該所定の条件が満たされない場合には当該データを配信しない構成が用いられてもよい。
さらに、所定の条件は、映像データ、音声データ、字幕データ、データ放送データ等のデータ毎に個別に設定してもよいし、チャンネル毎に設定しても受信装置として単一の設定がされていても構わない。
【００２８】
例えば、データ制御部２０７は、番組付帯データに含まれる、番組について音声が用意された言語の種類を特定するデータに基づいて、通信用のデータとして配信される言語（本実施形態では、三か国語目以降の言語）の種類のそれぞれについて、音声のデータの受信の可否を判定する。
同様に、データ制御部２０７は、例えば、番組付帯データに含まれる、番組について字幕が用意された言語の種類を特定するデータに基づいて、通信用のデータとして配信される言語（本実施形態では、三か国語目以降の言語）の種類のそれぞれについて、字幕のデータの受信の可否を判定する。
【００２９】
なお、本実施形態では、複数の言語の種類のうち、最初の二か国語までは番組内容データにより音声データを放送経由で送信し、三か国語目以降は通信用のデータにより音声データを通信経由で送信する。同様に、本実施形態では、複数の言語の種類のうち、最初の二か国語までは番組付帯データにより字幕データを放送経由で送信し、三か国語目以降は通信用のデータにより字幕データを通信経由で送信する。前記設定は番組付帯データに含まれ、コンポーネント逆多重化部２０４でその情報を取得する。
他の構成例として、放送経由で送信されるデータおよび通信経由で送信されるデータを区別するデータ（経由区別データ）が番組付帯データに含められてもよい。この場合、データ制御部２０７は、当該経由区別データに基づいて、通信経由で送信されるデータを特定することができる。
【００３０】
合成部２０８は、映像復号部２０５から入力される映像データと、データ制御部２０７から入力されるデータとを合成し、合成したデータ（合成データ）を表示部２０９に出力する。ここで、データ制御部２０７から出力されるデータとしては、例えば、字幕のデータ、ニュースなどのデータ、電子番組ガイドのデータ、個々のデータについて受信の可否を表すデータなどがある。
表示部２０９は、合成部２０８から入力された合成データに基づく映像を画面に表示出力する。表示部２０９は、例えば、ディスプレイである。
音出力部２１０は、音声復号部２０６から入力された音声データに基づく音声を音出力する。音出力部２１０は、例えば、スピーカである。
【００３１】
一例として、映像復号部２０５から番組の映像のデータを出力し、データ制御部２０７から字幕のデータを出力することで、合成部２０８から当該番組の映像に当該字幕が重複されたデータを出力して、その映像および字幕を表示部２０９の画面に表示する。この場合、音声復号部２０６から当該番組の音声のデータを出力し、当該音声を音出力部２１０により音出力する。
他の一例として、データ制御部２０７から電子番組ガイドのデータを出力することで、合成部２０８から当該電子番組ガイドのデータを出力して、当該電子番組ガイドを表示部２０９の画面に表示する。この場合、映像復号部２０５および音声復号部２０６は、例えば、データを出力しない。
また、他の一例として、データ制御部２０７から個々の番組の詳細を表すデータを出力することで、合成部２０８から当該データを出力して、個々の番組の詳細を表示部２０９の画面に表示する。この場合、映像復号部２０５および音声復号部２０６は、例えば、データを出力しない。なお、個々の番組の詳細を表すデータは、例えば、個々の番組の番組付帯データに基づいて、データ制御部２０７により生成される。
【００３２】
ここで、本実施形態では、データ制御部２０７は、電子番組ガイドのデータを出力する場合、あるいは、個々の番組の詳細を表すデータを出力する場合に、個々の番組について、音声が用意された言語の種類を特定するデータ、および、通信用のデータとして音声のデータが用意された言語の種類のそれぞれのデータの受信の可否の判定結果を表すデータを出力する。同様に、本実施形態では、データ制御部２０７は、電子番組ガイドのデータを出力する場合、あるいは、個々の番組の詳細を表すデータを出力する場合に、個々の番組について、字幕が用意された言語の種類を特定するデータ、および、通信用のデータとして字幕のデータが用意された言語の種類のそれぞれのデータの受信の可否の判定結果を表すデータを出力する。
【００３３】
図２は、本発明の一実施形態に係る画面表示の一例を示す図である。
表示部２０９の画面（本例では、画面１００１という。）に、電子番組ガイド（説明のための例示であり、実際の番組とは無関係である。）が表示されている。
具体的には、１２月１５日、ＡＡＡという放送局、０９９というチャンネルについて、午前９時３０分から「朝のニュース  東京」という番組が放送されることが表示されている。
また、この番組について、字幕が用意された言語の種類を特定するアイコン１０１１〜１０１４が表示されている。本例では、日本語（日）、英語（英）、フランス語（仏）、ドイツ語（独）の字幕が用意されており、それぞれのアイコン１０１１〜１０１４が表示されている。本実施形態では、これらの言語の種類のうち、日本語と英語については、放送経由で字幕のデータが送信される。一方、フランス語とドイツ語については、通信経由で字幕のデータが送信される。
【００３４】
そして、本例では、データ制御部２０７は、フランス語については通信経由で字幕のデータの受信が可能であると判定しており、ドイツ語については通信経由で字幕のデータが受信不可能であると判定している。これに応じて、画面１００１では、フランス語の字幕に対応するアイコン１０１３はオン（有効）に対応する態様で表示されており、ドイツ語の字幕に対応するアイコン１０１４はオフ（無効）に対応する態様で表示されている。なお、本例では、放送経由で送信される日本語および英語の字幕に対応するアイコン１０１１〜１０１２はオンに対応する態様で表示されている。
【００３５】
ここで、オン（有効）に対応する表示の態様と、オフ（無効）に対応する表示の態様としては、それぞれ、様々な態様が用いられてもよい。一例として、オンの場合は明るい表示態様、オフの場合は暗め（例えば、グレーアウトなど）の表示態様が用いられてもよい。他の例として、オンの場合とオフの場合とで、任意の色を使用する表示態様が用いられてもよい。
【００３６】
なお、図２の例では、アイコン１０１１〜１０１４が文字に重ならないように表示されたが、他の構成例として、アイコン１０１１〜１０１４が一部の文字に重なるように表示されてもよい。
また、図２の例では、字幕に関し、放送経由で送信される日本語および英語に対応するアイコン１０１１〜１０１２と、通信経由で送信されるフランス語およびドイツ語に対応するアイコン１０１３〜１０１４とで、同一の形のアイコンを用いたが、他の構成例として、これらの間で、アイコンの形、色などが異なるように制御されてもよい。つまり、放送経由で送信されるデータと、通信経由で送信されるデータとで、識別することが可能な表示が用いられてもよい。また、放送経由で送信されるデータと、通信経由で送信されるデータとで、画面における異なる場所（例えば、離れた場所）に、あるいは、異なるタイミングで、情報が表示されてもよい。
また、図２の例では、アイコンが用いられたが、文字などのように、アイコン以外の情報が用いられてもよい。
また、図２の例では、字幕について示したが、音声についても同様である。
【００３７】
図３は、本発明の一実施形態に係る画面表示の他の一例を示す図である。
表示部２０９の画面（本例では、画面１１０１という。）に、１つの番組の情報（説明のための例示であり、実際の番組とは無関係である。）が表示されている。
具体的には、現在視聴されている番組について、ＢＢＢという放送局、０８８というチャンネルについて、午後５時から午後６時まで「スポーツ」という番組が放送されることが表示されている。
また、この番組の音声、映像および字幕について、用意された複数の種類を特定するアイコン１１１１〜１１１５、１１２１〜１１２５、１１３１〜１１３５が表示されている。本例では、日本語（日）、英語（英）、フランス語（仏）、ドイツ語（独）、イタリア語（伊）の音声と字幕、および主映像（主）、副映像１（副１）、副映像２（副２）、副映像３（副３）、副映像４（副４）が用意されており、それぞれのアイコン１１１１〜１１１５、１１２１〜１１２５、１１３１〜１１３５が表示されている。本実施形態では、これらの言語の種類のうち、日本語と英語については、放送経由で音声および字幕のデータが送信される。一方、フランス語とドイツ語とイタリア語（伊）については、通信経由で音声および字幕のデータが送信される。また、映像については、放送経由で主映像（主）、副映像１（副１）が、通信経由で副映像２（副２）、副映像３（副３）、副映像４（副４）が送信される。なお、本例では、日本語の音声が主音声であり、他の言語の音声が副音声である。
【００３８】
そして、本例では、データ制御部２０７は、ドイツ語およびイタリア語については通信経由で音声および字幕のデータの受信が可能、副映像３および副映像４についても映像のデータの受信が可能であると判定しており、フランス語については通信経由で音声および字幕のデータと副映像２の映像のデータが受信不可能であると判定している。これに応じて、画面１１０１では、ドイツ語およびイタリア語の音声および字幕と副映像３および副映像４に対応するアイコン１１１４〜１１１５、１１２４〜１１２５、１１３４〜１１３５はオン（有効）に対応する態様で表示されており、フランス語の音声および字幕に対応するアイコン１１１３、１１３３と副映像２に対応するアイコン１１２３はオフ（無効）に対応する態様で表示されている。なお、本例では、放送経由で送信される日本語および英語の音声および字幕と主映像および副映像１に対応するアイコン１１１１〜１１１２、１１２１〜１１２２、１１３１〜１１３２はオンに対応する態様で表示されている。
【００３９】
ここで、図３の例では、それぞれの言語について、映像、音声および字幕のデータの受信可否の判定結果が同じである場合が示されたが、映像、音声と字幕とでデータの受信可否の判定結果が異なってもよい。
なお、図３の例では、アイコン１１１１〜１１１５、１１２１〜１１２５、１１３１〜１１３５が文字に重ならないように表示されたが、他の構成例として、アイコン１１１１〜１１１５、１１２１〜１１２５、１１３１〜１１３５が一部の文字に重なるように表示されてもよい。
また、図３の例では、映像、音声および字幕に関し、放送経由で送信される主映像および副映像１、日本語および英語に対応するアイコン１１１１〜１１１２、１１２１〜１１２２、１１３１〜１１３２と、通信経由で送信される副映像２、副映像３、副映像４、フランス語、ドイツ語およびイタリア語に対応するアイコン１１１３〜１１１５、１１２３〜１１２５、１１３３〜１１３５とで、同一の形のアイコンを用いたが、他の構成例として、これらの間で、アイコンの形、色などが異なるように制御されてもよい。つまり、放送経由で送信されるデータと、通信経由で送信されるデータとで、識別することが可能な表示が用いられてもよい。また、放送経由で送信されるデータと、通信経由で送信されるデータとで、画面における異なる場所（例えば、離れた場所）に、あるいは、異なるタイミングで、情報が表示されてもよい。
また、図３の例では、アイコンが用いられたが、文字などのように、アイコン以外の情報が用いられてもよい。
【００４０】
ここで、図２および図３の例では、映像、音声あるいは字幕について示したが、他の情報に適用されてもよい。他の情報としては、例えば、ニュース、天気予報、クイズ、ゲームなど、様々なものが用いられてもよい。
具体例として、複数種類の通信用のデータを特定するデータを送信装置２１から受信装置２２に送信する。受信装置２２では、このデータに基づいて、複数種類の通信用のデータを特定する。また、受信装置２２では、これら複数種類の通信用のデータについて、それぞれのデータの通信経由での受信が可能であるか否かを判定する。そして、受信装置２２では、これら複数種類の通信用のデータの存在を示しつつ、それぞれのデータの通信経由での受信が可能であるか否かを示す画面表示を行う。
【００４１】
このように、受信装置２２では、放送経由と通信経由でサービスのデータを受信することがあり得る場合に、個々の通信用のデータについて、当該受信装置２２により通信経由で当該データを利用（本実施形態では、受信）することが可能な状態にあるか否かを判定し、当該判定の結果に基づいて、存在するサービスおよびそのうちで提供可能なサービスをユーザに対して提示する。これにより、受信装置２２では、番組の情報などを表示する際に、通信経由の通信状況などに応じて、個々の通信用のデータに関する表示の態様を変更する。具体的には、受信装置２２では、電子番組ガイドや視聴中の番組情報などの表示に際し、受信することがあり得る通信用のデータの全てをアイコンで示し、個々のデータの受信の可否に応じて、個々のデータに対応するアイコンの表示態様を変更する。これにより、ユーザは、例えば、個々の通信用のデータについて、データの受信の可否を把握することができる。
【００４２】
ここで、本実施形態では、個々の通信用のデータの受信の可否を表示したが、他の指標が表示されてもよい。
例えば、データ制御部２０７は、通信部２０２がネットワーク３１と接続されていて対象のデータの受信が可能な状態であること、あるいは、通信部２０２がネットワーク３１と接続されていないために対象のデータの受信が不可能であること（通信部２０２がネットワーク３１と接続されれば対象のデータの受信が可能となること）、あるいは、通信部２０２がネットワーク３１と接続されているが他の影響（他の条件）により対象のデータの受信が不可能であること、などを表示するように制御してもよい。
【００４３】
他の構成例として、データ制御部２０７は、ライブのＣＨ（チャンネル）ごとに、通信状況を検出（例えば、測定）あるいは判定し、個々のデータについて、提供することが可能な品質などの情報を表示するように制御してもよい。品質としては、例えば、データの解像度、データのビットレート、あるいは、データのフレームレートなどが用いられてもよい。
他の構成例として、データ制御部２０７は、通信部２０２がネットワーク３１と接続されていないという原因または他の原因により受信が不可であるデータについて、その原因が解消されれば受信が可能となる旨を表す文字または図形（アイコンでもよい。）などを表示するように制御してもよい。また、データ制御部２０７は、原因が解消されれば受信が可能となるデータの説明（例えば、よりリッチなコンテンツの名称など）を文字または図形（アイコンでもよい。）などを用いて表示するように制御してもよい。
【００４４】
また、本実施形態では、複数の通信用のデータが同一の通信用のコンテンツサーバ装置１２から送信されるが、他の構成例として、複数の通信用のデータのうちの一部のデータが第１の通信用のコンテンツサーバ装置から送信され、他の一部のデータが第２の通信用のコンテンツサーバ装置（第１の通信用のコンテンツサーバ装置とは異なる装置）から送信されてもよい。つまり、複数の通信用のコンテンツサーバ装置がそれぞれに対応する通信用のデータを送信する構成が用いられてもよい。
この場合、例えば、複数の通信用のコンテンツサーバ装置のうちの一部と受信装置２２の通信部２０２とが通信することが可能な状態である一方、他の一部と受信装置２２の通信部２０２とが通信することが不可能な状態である状況が生じ得る。受信装置２２では、このような状況をユーザに提示することが可能である。
【００４５】
また、本実施形態では、データ制御部２０７が、電子番組ガイドなどの情報を表示する際に、個々の通信用のデータの受信の可否に応じて、その表示の態様を切り替えたが、他の構成例として、個々の通信用のデータの受信の可否に応じて表示態様を切り替えるアプリケーションを設けて、当該アプリケーションにより制御を行ってもよい。
【００４６】
また、本実施形態では、未来に視聴可能となる番組に関して表示を行う場合と、視聴中の番組（リアルタイムの番組）に関して表示を行う場合を示したが、他の構成例として、データ制御部２０７は、録画された番組（過去の番組）に関して表示を行う際に、個々の通信用のデータの受信の可否に応じて、表示態様を制御してもよい。この場合、通信用のデータに、有効期間の終了時刻が設定されてもよい。
一例として、録画された番組の再生時における通信経由でのデータ（例えば、所定のサービスのデータ）の受信の可否を示すフラグ（記述子）を追加することを提案する。このフラグ（記述子）として、例えば、ダウンロード情報表示（ＤＩＩ：Download Info Indication）のＥｘｐｉｒｅ記述子（または、ＡｃｔｉｖａｔｉｏｎＴｉｍｅ記述子）のようなものが定義されて用いられてもよい（ＡＲＩＢ  ＳＴＤ−Ｂ２４参照。）。
【００４７】
図４は、Ｅｘｐｉｒｅ記述子のデータ構造の一例を示す図である。
具体的には、Ｅｘｐｉｒｅ記述子のデータ構造と、ビット数と、内容を示してある。
ここで、ｄｅｓｃｒｉｐｔｏｒ＿ｔａｇは、記述子のタグである。ｄｅｓｃｒｉｐｔｏｒ＿ｌｅｎｇｔｈは、記述子の長さである。ｔｉｍｅ＿ｍｏｄｅは、時間モードである。ＭＪＤ＿ＪＳＴ＿ｔｉｍｅは、修正ユリウス暦と日本標準時で表される絶対時刻である。ｒｅｓｅｒｖｅｄ＿ｆｕｔｕｒｅ＿ｕｓｅは、［未定義］であり、符号化ビットストリームを定義する項の中で使用する場合、その値が将来、定義される拡張子として使用されるかも知れないことを表す。なお、別途定義されない限り、全ての未定義ビットは１にセットしなければならない。ｐａｓｓｅｄ＿ｓｅｃｏｎｄｓは、ダウンロード後の経過時間（秒）である。
【００４８】
図５は、Ｅｘｐｉｒｅ記述子の意味を示す図である。
具体的には、有効期限の時刻指定方法を示すｔｉｍｅ＿ｍｏｄｅ（時間モード）と、時刻指定方法と、意味を示してある。
ここで、ＭＪＤ＿ＪＳＴ＿ｔｉｍｅでは、この４０ビットのフィールドは、ｔｉｍｅ＿ｍｏｄｅ＝０ｘ０１の場合に符号化され、有効期限を日本標準時（ＪＳＴ）と修正ユリウス日（ＭＪＤ）で示す（ＡＲＩＢ  ＳＴＤ  Ｂ−１０第２部付録Ｃ参照。）。このフィールドは、ＭＪＤの下位１６ビットを１６ビットで符号化し、続く２４ビットを６個の４ビット２進化１０進数（ＢＣＤ）で符号化する。
また、ｐａｓｓｅｄ＿ｓｅｃｏｎｄｓでは、この３２ビットのフィールドは、ｔｉｍｅ＿ｍｏｄｅ＝０ｘ０４の場合に符号化され、ダウンロード後の経過時間（単位：秒）で有効期限を表す。
【００４９】
以上のように、本実施形態に係る放送システム１において、受信装置２２では、個々の通信用のデータの受信の可否を判定し、当該判定の結果を反映した情報を表示する。これにより、受信装置２２では、通信経由でデータを受信する場合に、通信経由での個々のデータの受信の可否を把握することができる。例えば、受信装置２２では、電子番組ガイドあるいはＯＳＤなどの表示に際し、通信経由でのデータ（例えば、所定のサービスのデータ）の受信の可否をユーザに提示することができる。また、受信装置２２では、受信可能なデータ（例えば、所定のサービスのデータ）の品質等を検出あるいは判定して、その結果をユーザに提示することができる。
また、例えば、受信装置２２では、録画番組の録画再生時に、通信経由でのデータ（例えば、所定のサービスのデータ）の受信の可否をユーザに提示することができる。一例として、受信装置２２では、放送受信時（および、例えば、放送の開始前）と録画再生時とで通信経由でのデータの受信可否の状況が異なる場合においても、それぞれの状況に応じた表示を行って、それぞれの状況をユーザに提示することができる。
また、本実施形態に係る受信装置２２などにおいて行われる処理ステップを有する情報処理の方法（情報処理方法）を提供することができる。
【００５０】
なお、上述した実施形態における放送用のコンテンツサーバ装置１１、通信用のコンテンツサーバ装置１２、送信装置２１、受信装置２２の一部、例えば、制御を行う機能部をコンピュータで実現するようにしてもよい。この場合、この制御の機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、装置に内蔵されたコンピュータシステムであって、オペレーティングシステム（ＯＳ：Operating System）および周辺機器等のハードウェアを含むものとする。また、「コンピュータ読み取り可能な記録媒体」とは、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置のことをいう。さらに「コンピュータ読み取り可能な記録媒体」とは、インターネット等のネットワークあるいは電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものを含んでもよい。また、上記のプログラムは、前述した機能の一部を実現するためのものであってもよく、さらに前述した機能をコンピュータシステムに既に記録されているプログラムとの組み合わせで実現できるものであってもよい。
【００５１】
また、上述した実施形態における放送用のコンテンツサーバ装置１１、通信用のコンテンツサーバ装置１２、送信装置２１、受信装置２２の一部、または全部を、ＬＳＩ（Large Scale Integration）等の集積回路として実現してもよい。各機能ブロックは個別にプロセッサ化してもよいし、一部、または全部を集積してプロセッサ化してもよい。また、集積回路化の手法は、ＬＳＩに限らず、専用回路、または汎用プロセッサで実現してもよい。また、半導体技術の進歩によりＬＳＩに代替する集積回路化の技術が出現した場合、当該技術による集積回路を用いてもよい。
【００５２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５３】
（付記）
一態様は、受信装置において、通信部により通信用のデータを受信することが可能か否かを判定するデータ制御部を備え、表示部は、データ制御部により判定された結果に基づいて、表示する。
一態様は、受信装置において、データ制御部は、通信用のデータを送信する他の装置と通信することが可能な状態である場合には前記データを受信することが可能であると判定し、前記通信用のデータを送信する前記他の装置と通信することが不可能な状態である場合には前記データを受信することが不可能であると判定する。
一態様は、受信装置において、データ制御部は、通信用のデータについて設定された有効期間の条件が満たされない場合には、前記データを受信することが不可能であると判定する。
一態様は、受信装置において、前記有効期間の条件は、少なくとも終了の時刻が規定された条件であり、データ制御部は、通信用のデータについて設定された前記終了の時刻より後の時刻では、前記データを受信することが不可能であると判定する。
【符号の説明】
【００５４】
１…放送システム、１１…放送用のコンテンツサーバ装置、１２…通信用のコンテンツサーバ装置、２１…送信装置、２２…受信装置、３１…ネットワーク、１０１…コンポーネント多重化部、１０２…放送送信部、１０３…通信部、２０１…放送受信部、２０２…通信部、２０３…操作部、２０４…コンポーネント逆多重化部、２０５…映像復号部、２０６…音声復号部、２０７…データ制御部、２０８…合成部、２０９…表示部、２１０…音出力部、１００１、１１０１…画面、１０１１〜１０１４、１１１１〜１１１５、１１２１〜１１２５、１１３１〜１１３５…アイコン
【図１】
2016116163.tif 000003
【図２】
2016116163.tif 000004
【図３】
2016116163.tif 000005
【図４】
2016116163.tif 000006
【図５】
2016116163.tif 000007